(57)【要約】【課題】ガイドフラップの強度を更に向上させるとともに前面板の強度も向上させることができ、ガイドフラップとしての機能を向上させるだけでなく、ラップフィルム引き出し時における収納箱の変形を防止することができるラップフィルム収納箱を提供する。【解決手段】前面板１１、底面板１２、後面板１３及び左右両側面板１４からなる上面が開口した箱本体１５と、前記後面板１３に連設されて前記開口を開閉可能に覆う蓋板１６及び前面板前方を覆う前蓋板１７を有する蓋体１７とを備えたラップフィルム収納箱において、前記前面板１１の内面上端部に筒状の補強部２２を設ける。【選択図】　　図１
2004091030.tif 000002
【特許請求の範囲】
【請求項１】
前面板、底面板、後面板及び左右両側面板からなる上面が開口した箱本体と、前記後面板に連設されて前記開口を開閉可能に覆う蓋板及び前面板前方を覆う前蓋板を有する蓋体とを備えたラップフィルム収納箱において、前記前面板の内面上端部に、筒状の補強部を設けたことを特徴とするラップフィルム収納箱。
【請求項２】
前記補強部は、前面板上端縁から延出した折曲げ片を前面板内側に折り込んで筒状に形成したものであることを特徴とする請求項１記載のラップフィルム収納箱。
【請求項３】
前記補強部は、箱本体とは別体に形成した筒状補強部材を前面板の内面上端部に装着したものであることを特徴とする請求項１記載のラップフィルム収納箱。
【発明の詳細な説明】
【０００１】
【発明の属する技術分野】
本発明は、ラップフィルム収納箱に関し、詳しくは、ロール状に巻回された状態のラップフィルムを引き出し可能に収納するためのラップフィルム収納箱に関する。
【０００２】
【従来の技術】
従来から、食品包装用として多用されているラップフィルムは、ロール状に巻回された状態で収納箱内に収納されており、該収納箱から必要量を引き出した後、カッターで切断して使用されている。ラップフィルム収納用の収納箱は、一般に、前面板、底面板、後面板及び左右両側面板からなる上面が開口した箱本体と、前記後面板に連設された蓋体とにより形成されており、蓋体には、前記開口を開閉可能に覆う蓋板と、前面板前方を覆う前蓋板と、左右両側面板を覆う側蓋板とが設けられている。また、ラップフィルム切断用の鋸歯状カッターは、前面板や前蓋板等に取り付けられている。
【０００３】
一般的なラップフィルム収納箱では、前面板の上縁部に、内側に折曲げ形成されたガイドフラップが設けられており、このガイドフラップによって引き出し時のフィルムが前面板に引っ掛かったり、ロールが飛び出すことを防止するようにしている。そして、これらのガイドフラップの効果を向上させるため、ガイドフラップを二重折曲げ構造にしたり、先端を下向きに折り曲げてＬ字状に形成したりすることも行われている（例えば、特許文献１参照。）。
【０００４】
【特許文献１】
特開平８−２１７０６４号公報（第３−４頁、第３図、第６図）
【０００５】
【発明が解決しようとする課題】
上述のようにガイドフラップを二重折曲げ構造にしたりすることにより、ガイドフラップの剛性を高めることができ、ラップフィルム収納箱引き出し時におけるガイドフラップの撓み変形を抑え、ラップフィルムのガイド作用やロール飛び出し防止作用を向上させることができるとされている。
【０００６】
しかしながら、上記構造を採用しても、ラップフィルム引き出し時にガイドフラップが変形したり、更には収納箱全体が大きく変形したりしてラップフィルムの引き出しを円滑に行えなくなることがあり、さらに、この変形の繰り返しによって収納箱が破損してしまうこともあった。
【０００７】
そこで本発明は、ガイドフラップの強度を更に向上させるとともに前面板の強度も向上させることができ、ガイドフラップとしての機能を向上させるだけでなく、ラップフィルム引き出し時における収納箱の変形を防止することができるラップフィルム収納箱を提供することを目的としている。
【０００８】
【課題を解決するための手段】
上記目的を達成するため、本発明のラップフィルム収納箱は、前面板、底面板、後面板及び左右両側面板からなる上面が開口した箱本体と、前記後面板に連設されて前記開口を開閉可能に覆う蓋板及び前面板前方を覆う前蓋板を有する蓋体とを備えたラップフィルム収納箱において、前記前面板の内面上端部に、筒状の補強部を設けたことを特徴としている。
【０００９】
そして、前記補強部が、前面板上端縁から延出した折曲げ片を前面板内側に折り込んで筒状に形成したものであること、あるいは、箱本体とは別体に形成した筒状補強部材を前面板の内面上端部に装着したものであることを特徴としている。
【００１０】
【発明の実施の形態】
図１乃至図４は本発明の第１形態例を示すもので、図１はラップフィルム収納箱の断面図、図２はラップフィルム収納箱の斜視図、図３はラップフィルム収納箱の展開図、図４は巻き径が小さくなったロールからラップフィルムを引き出している状態を示す断面図である。
【００１１】
このラップフィルム収納箱は、図３に示す紙製ブランクを折曲げ線に沿って折り曲げることにより形成されるものであって、前面板１１、底面板１２、後面板１３及び左右両側面板１４からなる上面が開口した箱本体１５と、前記後面板１３に連設されて前記開口を開閉可能に覆う蓋板１６及び前面板前方を覆う前蓋板１７を有する蓋体１８とを備えたものであって、底面板１２の前端にはカッター１９が取り付けられている。また、前記側面板１４は、前面板１１及び後面板１３の両端から延出した内折込片１４ａ，１４ｂと、底面板１２の両端から延出した外側面板１４ｃとにより形成されている。
【００１２】
そして、前記前面板１１の反底面板側には、第１折曲げ線２１を介して補強部２２が連設されている。この補強部２２は、前記第１折曲げ線２１によって内側に折り曲げられる第１折曲げ片２３と、該第１折曲げ片２３に第２折曲げ線２４を介して連設され、該第２折曲げ線２４に沿って前面板１１の中上部に向かう方向に、約１３５度折り曲げられる第２折曲げ片２５と、該第２折曲げ片２５に第３折曲げ線２６を介して連設され、前面板１１の内面に沿う方向に折り曲げられる第３折曲げ片２７とを有している。
【００１３】
このように各折曲げ線及び折曲げ片を形成し、各折曲げ線を所定の方向に折り曲げて第３折曲げ片２７を前面板１１の中上部内面に接着することにより、図１に示すように、前面板１１の内面上端部に三角形状の中空部を有する筒状の補強部２２を形成することができる。この補強部２２の大きさは、最大でも、箱本体１５内に挿入されるラップフィルム３１と干渉することがない大きさに設定されており、巻き芯３２に巻回された状態で一方の側面板１４から箱本体１５内に軸方向にラップフィルム３１を挿入する際の支障とならないようにしている。
【００１４】
このような中空部を有する筒状の補強部２２を前面板１１の内面上端部に設けることにより、前面板１１の上端部における剛性を大幅に向上させることができるので、ラップフィルム引き出し時における収納箱の変形を確実に防止できる。したがって、変形の繰り返しによって収納箱が破損することもなくなる。
【００１５】
また、ラップフィルムと接触する部分が補強部２２における第１折曲げ片２３の外面となるので、接触抵抗が減少してラップフィルム３１の破断も生じることがなくなる。さらに、図４に示すように、巻き径が小さくなったロールからラップフィルム３１を引き出す場合でも、補強部２２における第２折曲げ片２５の外面によってロールが抑え込まれた状態になるので、収納箱からのラップフィルム３１の飛び出しを防止することができる。
【００１６】
図５は本発明の第２形態例を示すラップフィルム収納箱の断面図であって、前面板１１の内面上端部に設けた筒状の補強部４１の形状を、箱内部側に半円形に突出するように形成したものである。この補強部４１も、前記形態例と同様に、前面板１１に対して第１折曲げ線４２を介して湾曲形状に折り込まれる第１折曲げ片４３と、該第１折曲げ片４３に対して第２折曲げ線４４を介して設けられた第２折曲げ片４５とが箱本体１５と一体形成されている。
【００１７】
図６は本発明の第３形態例を示すラップフィルム収納箱の断面図であって、前面板１１の内面上端部に、箱本体１５とは別体に形成した筒状補強部材５１を接着して補強部を形成した例を示すものである。この筒状補強部材５１は、箱本体１５と同じ紙等をあらかじめ所定の形状、本例では、天板部５２、斜辺部５３及び接着部５４からなる断面直角三角形状に組み立てておき、接着部５４を前面板１１の内面上端部に接着するようにしている。これにより、前記第１形態例と同じような形状の補強部を形成することができる。
【００１８】
なお、各補強部を前面板に固定する手段は、前述の接着に限るものではなく、適当な切り込み等を利用した嵌合構造を採用することもできる。また、別体の補強部材を前面板に装着する場合は、箱本体と補強部材とを異なる材質で形成することもできる。
【００１９】
【発明の効果】
以上説明したように、本発明のラップフィルム収納箱によれば、筒状の補強部によって、従来のガイドフラップに相当する補強部の剛性だけでなく、前面板の剛性も高めることができるので、ラップフィルム引き出し時における前面板や収納箱の変形を防止することができる。また、ラップフィルムの破断も防止することができる。
【図面の簡単な説明】
【図１】本発明の第１形態例を示すラップフィルム収納箱の断面図である。
【図２】ラップフィルム収納箱の斜視図である。
【図３】ラップフィルム収納箱の展開図である。
【図４】巻き径が小さくなったロールからラップフィルムを引き出している状態を示す断面図である。
【図５】本発明の第２形態例を示すラップフィルム収納箱の断面図である。
【図６】本発明の第３形態例を示すラップフィルム収納箱の断面図である。
【符号の説明】
１１…前面板、１２…底面板、１３…後面板、１４…側面板、１５…箱本体、１６…蓋板、１７…前蓋板、１８…蓋体、１９…カッター、２１…第１折曲げ線、２２…補強部、２３…第１折曲げ片、２４…第２折曲げ線、２５…第２折曲げ片、２６…第３折曲げ線、２７…第３折曲げ片、３１…ラップフィルム、３２…巻き芯、４１…補強部、４２…第１折曲げ線、４３…第１折曲げ片、４４…第２折曲げ線、４５…第２折曲げ片、５１…筒状補強部材、５２…天板部、５３…斜辺部、５４…接着部
【図１】
2004091030.tif 000003
【図２】
2004091030.tif 000004
【図３】
2004091030.tif 000005
【図４】
2004091030.tif 000006
【図５】
2004091030.tif 000007
【図６】
2004091030.tif 000008